(57)【要約】【課題】簡単な構造で、効率的に釣糸の巻き取りが可能な釣用リールを提供する。【解決手段】リール本体１２に対して回転自在に設けられ釣糸２４が巻き取られるスプール１４と、スプール１４と同軸に設けられた巻き取り機構部１８とを有する。巻き取り機構部１８には、スプール１４とともに回転する主回転軸３０にワンウェイクラッチ４０を介して同軸に設けられた動伝部材４４を備える。動伝部材４４に同軸に設けられた巻き取り環４５と、巻き取り環４５に一端が固定されて巻き付けられた巻き取り紐４７と、動伝部材４４を巻き戻し方向に回転させるゼンマイバネ４６とを備える。巻き取り紐４７を引き出すことにより、巻き取り環４５が回転してスプール１４が一体的に回転し、釣糸２４が巻き取られる。ゼンマイバネ４６により、巻き取り環４５が巻き戻し方向に回転し、ワンウェイクラッチ４０によりスプール１４にはトルクを伝達することなく、巻き取り紐４７が巻き取り環４５に巻き戻される。【選択図】図１
2010207138.tif 000002
【特許請求の範囲】
【請求項１】
リール本体と、このリール本体に対して回転自在に設けられ釣糸が巻き取られるスプールと、前記スプールと同軸に設けられた巻き取り機構部とを有した釣り用リールにおいて、
前記巻き取り機構部には、前記スプールとともに回転する主回転軸にワンウェイクラッチを介して同軸に設けられた動伝部材と、この動伝部材に同軸に設けられた巻き取り環と、この巻き取り環に一端が固定されて巻き付けられた巻き取り紐と、前記動伝部材を巻き戻し方向に回転させるゼンマイバネとを備え、
前記巻き取り紐を引き出すことにより前記巻き取り環が回転して前記スプールが一体的に回転し、前記釣糸が巻き取られ、前記ゼンマイバネにより前記巻き取り環が巻き戻し方向に回転し、前記ワンウェイクラッチにより前記スプールにトルクを伝達することなく前記巻き取り紐が前記巻き取り環に巻き戻されることを特徴とする釣用リール。
【請求項２】
前記巻き取り機構部により回転する前記主回転軸と前記スプールとの間には、前記釣糸の巻き取りトルクの上限を設定する第一ドラグ部が設けられ、この第一ドラグ部内のドラグパッドの圧接力を調整し巻き取りトルクの上限を設定するドラグ調整ノブが設けられている請求項１記載の釣り用リール。
【請求項３】
前記スプールが回転自在に取り付けられた主回転軸には、固定軸を挟んで回転調整軸が設けられ、この回転調整軸と前記リール本体との間には、前記釣糸にかかる張力の上限を設定する第二ドラグ部が設けられている請求項１記載の釣り用リール。
【請求項４】
前記巻き取り紐の先端部には、巻き取り時に把持する保持部材が取り付けられている請求項１記載の釣り用リール。
【発明の詳細な説明】
【技術分野】
【０００１】
この発明は、ワンウェイクラッチを利用して、釣糸を巻き取るスプールの回転動作を制御する釣用リールに関する。
【背景技術】
【０００２】
従来、釣用リールは、釣糸を巻回するスプールを、駆動モータやハンドルによって回転させていた。このハンドルとスプールとの間には、回転力を伝達または遮断するクラッチ機構と、回転に対する抵抗力を作用させるドラグ機構、１方向の回転のみを許容するワンウェイクラッチ機構などを備え、釣りの動作に応じたスプールの回転制御が行えるようになっている。
【０００３】
例えば、特許文献１に開示された釣用リールは、リール本体の両側板間にスプールを回転自在に支持していると共に、一方の側板の外周部にはハンドル軸を回転自在に支持している。そして、このハンドル軸に、一方向にのみ回転力を伝達する第１ワンウェイクラッチを介してハンドルを取り付け、該ハンドルを回転操作することによりスプールを動力伝達機構を介して釣糸の巻き取り方向にのみ回転させるように構成している。さらに、リール本体に電動モータを取り付けている外付けフレームを着脱可能に装着すると共に、ハンドル軸に第１ワンウェイクラッチと同じ一方向にのみ回転力を伝達する第２ワンウェイクラッチを装着して、電動モータの回転力を、この第２ワンウェイクラッチを介してハンドル軸に伝達するように構成している。
【０００４】
また、特許文献２に開示された釣用リールのように、釣糸を巻回するスプールがリール本体に対して回転する釣用リールであって、ハンドル、回転軸、ドラグ機構、ワンウェイクラッチ機構、及び第２の回転阻止機構を備えたものもある。回転軸は、スプールの回転が伝達され、ドラグ機構は、スプールとともに一体回転する主動部と主動部の回転が伝達され回転軸とともに一体回転し主動部に回転抵抗力を作用させる従動部とを有し、スプールと回転軸との間で回転を伝達する。ワンウェイクラッチ機構は、回転軸とリール本体との間に配置され、回転軸に対して、釣糸の巻き取り方向への回転は許容し、釣糸の繰り出し方向への回転は、ドラグ機構の最大設定回転抵抗力よりも小さく設定された所定の限界値を超えるまでは回転を阻止し、回転力が限界値を超えれば回転を許容する。さらに、第２の回転阻止機構は、回転軸とリール本体との間に配置され、回転軸に対して、釣糸の巻き取り方向への回転は許容し、釣糸の繰り出し方向への回転は、ワンウェイクラッチ機構が回転を許容すると回転を阻止するものである。
【先行技術文献】
【特許文献】
【０００５】
【特許文献１】特開２００６−２２３２１９号公報
【特許文献２】特開平９−１６８３５４号公報
【発明の概要】
【発明が解決しようとする課題】
【０００６】
上記背景技術のような釣用リールの場合、釣糸の巻き取りにおいては、ハンドルやモータを回転させて巻き取るため、ハンドルの回転数に対してスプールの回転数を上げるために増速するための歯車機構が必要であり、構造が複雑になり重量の増大も生じていた。さらに、ハンドルの回転動作は、小さな回転を素早く行う必要があり、操作性が悪いものであった。
【０００７】
この発明は、上記背景技術の問題点に鑑みてなされたものであり、簡単な構造で、効率的に釣糸の巻き取りが可能な釣用リールを提供することを目的とする。
【課題を解決するための手段】
【０００８】
本発明は、リール本体と、このリール本体に対して回転自在に設けられ釣糸が巻き取られるスプールと、前記スプールと同軸に設けられた巻き取り機構部とを有した釣り用リールであって、前記巻き取り機構部には、前記スプールとともに回転する主回転軸にワンウェイクラッチを介して同軸に設けられた動伝部材と、この動伝部材に同軸に設けられた巻き取り環と、この巻き取り環に一端が固定されて巻き付けられた巻き取り紐と、前記動伝部材を巻き戻し方向に回転させるゼンマイバネとを備え、前記巻き取り紐を引き出すことにより前記巻き取り環が回転して前記スプールが一体的に回転し、前記釣糸が巻き取られ、前記ゼンマイバネにより前記巻き取り環が巻き戻し方向に回転し、前記ワンウェイクラッチにより前記スプールにトルクを伝達することなく前記巻き取り紐が前記巻き取り環に巻き戻される釣用リールである。
【０００９】
また、前記巻き取り機構部により回転する前記主回転軸と前記スプールとの間には、前記釣糸の巻き取りトルクの上限を設定する第一ドラグ部が設けられ、この第一ドラグ部内のドラグパッドの圧接力を調整し巻き取りトルクの上限を設定するドラグ調整ノブが設けられている。
【００１０】
前記スプールが回転自在に取り付けられた主回転軸には、固定軸を挟んで回転調整軸が設けられ、この回転調整軸と前記リール本体との間には、前記釣糸にかかる張力の上限を設定する第二ドラグ部が設けられている。
【００１１】
さらに、前記巻き取り紐の先端部には、巻き取り時に把持する保持部材が取り付けられていると良い。
【発明の効果】
【００１２】
本発明の釣用リールは、簡単な構造で、釣糸の迅速な巻き取りを可能にし、タイミングを逃さない魚釣りを楽しむことができる。また動作は、巻き取り糸を引くという直線的で大きな動作となり、従来のハンドルの回転のようなこまめな動作が要求されず、より高速の巻き取りが可能となる。
【図面の簡単な説明】
【００１３】
【図１】この発明の一実施形態の釣用リールの部分断面図である。
【図２】この実施形態の釣用リールの正面図である。
【発明を実施するための形態】
【００１４】
以下、この発明の実施の形態について図面に基づいて説明する。図１、図２はこの発明の一実施形態を示すもので、この実施形態の釣用リール１０は、リール本体１２と、リール本体１２の側方に配置されたスプール１４と、スプール１４の内側に同軸に設けられた第一ドラグ部１６、スプール１４の側方に同軸に設けられた第二ドラグ部１７、及び第二ドラグ部１７の側方に設けられスプール１４と同軸に設けられた巻き取り機構部１８とを備えている。
【００１５】
リール本体１２は、所定の間隔をあけて配置された一対の円環状のフレーム１２ａと一対のフレーム１２ａ間に一体に設けられ、釣り竿２０に固定される取付部１２ｂとにより構成されている。さらに、フレーム１２ａ内のスプール１４には、釣糸２４を巻き取る糸巻き部１４ａの内側に、第一ドラグ部１６が同軸且つ一体的に回転可能に設けられている。
【００１６】
第一ドラグ部１６には、スプール１４と同軸に設けられ第二ドラグ部１７の後述するワンウェイクラッチ４０の回転を伝達するドラグパッド２６が、主回転軸３０の一端３０ａに固定されて設けられている。さらに、ドラグパッド２６と対面して接触したドラグパッド２７が、円筒状のドラグ調整ノブ２８内に設けられている。ドラグ調整ノブ２８の内周面には、スプール１４の内側に同軸に設けられ円筒状の軸受け収納部３２の側面に形成された雄ネジ部３４に螺合する雌ネジ部３５が設けられ、ドラグパッド２６，２７の摺接する圧力を調節可能に設けられている。これにより、主回転軸３０のトルクの伝達を調節することができる。
【００１７】
主回転軸３０には、リール本体１２と一体に設けられた固定軸３１が挿通され、さらに固定軸３１に回転調整軸３３が挿通されている。回転調整軸３３には、スプール１４に形成された収納部３２に収容されたワンウェイクラッチ３６の内側の軸受け部が固定されている。ワンウェイクラッチ３６の外側の軸受け部はスプール１４の収納部３２に固定され、ワンウェイクラッチ３６は、スプール１４の釣糸２４の巻き取り方向である正転方向には自由回転し、逆転方向には、回転調整軸３３と一体になりスプール１４の逆転を防止している。スプール１４の収納部３２には、回転調整軸３３とスプール１４間に取り付けられたベアリング２９の内輪が回転調整軸３３に固定され、ベアリング２９の外輪は、収納部３２内に固定され、スプール１４の回転を安定化する。
【００１８】
回転調整軸３３には、第二ドラグ部１７のドラグ調整ノブ３８が挿通され、ドラグ調整ノブ３８の円筒状の空間の内周面には、リール本体１２の内側に設けられた同軸の雄ネジ部３７に螺合する雌ねじ部３９が設けられている。さらに、雄ネジ部３７の内側は、円筒状に形成され、ドラグ調整ノブ３８とリール本体１２の雄ネジ部３７の内側に空間が形成されている。第二ドラグ部１７のドラグ調整ノブ３８内には、主回転軸３０と同軸に、回転調整軸３３の回転伝達を調整するドラグパッド４２が、回転調整軸３３の先端部に固定されて設けられている。さらに、ドラグパッド４２と対面して接触したドラグパッド４３が、リール本体１２及び円筒状のドラグ調整ノブ３８内に設けられている。
【００１９】
回転調整軸３３のワンウェイクラッチ３６とは反対側の端部は、第二ドラグ部１７のドラグ調整ノブ３８内に位置し、その先端部に円盤状の摩擦板であるドラグパッド４２が固定されている。さらに、回転調整軸３３の先端部にはフランジ部３３ａが形成され、フランジ部３３ａには、皿バネ状のバネ部材４５が挿通され、バネ部材４５は回転調整軸３３のフランジ部３３ａをドラグパッド４３側に押し付けている。これにより、ドラグパッド４２，４３が互いに圧接され、スプール１４の逆回転を阻止するとともに、圧接力を調整して一定以上のトルクによりドラグパッド４２，４３がスリップして、スプール１４が逆回転可能にしている。
【００２０】
リール本体１２の第二ドラグ部１７とは反対側には、巻き取り機構部１８が設けられている。巻き取り機構部１８内には、リール本体１２に対して回転自在の主回転軸３０の他端３０ｂが位置し、この他端３０ｂにワンウェイクラッチ４０の内側の軸受け部が固定され、ワンウェイクラッチ４０の外側の軸受け部が、円筒状の動伝部材４４に固定されている。動伝部材４４は主回転軸３０と同軸かつ一体に回転可能に設けられ、動伝部材４４の周縁部には、巻き取り環４５が一体に設けられている。
【００２１】
動伝部材４４及び巻き取り環４５は、リール本体１２のハウジング１２ｃの円筒内に収容されている。巻き取り環４５の内側には、巻き戻し用のゼンマイバネ４６が取り付けられ、巻き取り環４５の外周部には、巻き取り紐４７が巻回されている。巻き取り紐４７は、その一端部が巻き取り環４５に固定され、他端はハウジング１２ｃに形成された透孔１２ｄを経てハウジング１２ｃ外に延出している。巻き取り紐４７の他端には、後述するように操作を容易にするための保持部材４８が固定されている。巻き取り環４５の直径は、スプール１４の直径と比較して小さく、例えば約１/２程度に形成されている。
【００２２】
次に、この実施形態の釣用リール１０の使用方法について説明する。この実施形態の釣用リール１０は、例えばフライフィッシングに用いられるもので、釣糸２４の巻き取り時の操作を容易にするものである。即ち、例えば、釣糸２４の針に魚が食い付いた後、釣糸２４を巻き取る際に、保持部材４８を持って引くと、巻き取り紐４７が巻き取り環４５から引き出され、巻き取り環４５が巻き取り紐４７の引き出された分だけ回転する。その回転数は巻き取り紐４７の長さを巻き取り環４５の円周で除した数である。そして、その回転と等しい回転数だけスプール１４が回転するが、スプール１４に巻き取られる釣糸２４の長さは、巻き取り紐４７の長さに対して、スプール１４の直径と巻き取り環４５の直径の比に比例した長さである。
【００２３】
巻き取り機構部１８による釣糸２４の巻き取り時の動作は、巻き取り紐４７を引くと、巻き取り環４５の回転とともに動伝部材４４が回転し、ワンウェイクラッチ４０が動伝部材４４とともに回転し、ワンウェイクラッチ４０を介して回転主軸３０が一体に回転する。これにより、ドラグパッド２６が回転し、ドラグパッド２７を経てドラグ調整ノブ２８に回転が伝達され、スプール１４が回転する。このとき伝達されるトルクは、ドラグパッド２６,２７間の伝達トルクにより上限が制限される。この時の最大伝達トルクは、ドラグ調整ノブ２８の雌ネジ３５と、スプール１４の雄ネジ３４との締め具合により決定される。
【００２４】
また、釣糸２４側からの張力によりスプール１４に掛るトルクが、ドラグパッド４２,４３間の伝達トルク以上になると、スプール１４は釣糸２４の張力により引き出される方に回転し、釣糸２４が切れるのを防止する。
【００２５】
巻き取り紐４７を引き切ると、ゼンマイバネ４６が巻かれて回転エネルギーが蓄えられ、巻き取り紐４７にかける力を抜くと、ゼンマイバネ４６により巻き取り環４５に巻き取り紐４７が巻き取られる。この時、動伝部材４４からワンウェイクラッチ４０に回転が伝達されるが、ワンウェイクラッチ４０により主回転軸３０側にはトルクは伝達せず、スプール１４は停止した状態を維持する。スプール１４の逆回転方向へのトルクは、ドラグパッド４２，４３間の摩擦抵抗によるトルクにより決定される。また、ドラグパッド２６，２７間のトルクは、巻き取り紐４７により巻き取り機構部１８側から伝達されるトルクの最大値を決定している。
【００２６】
この実施形態の釣用リール１０によれば、簡単な構造で、釣糸２４の迅速な巻き取りを可能にし、魚の食い付き時等にタイミングを逃さない魚吊りを楽しむことができる。また動作は、巻き取り糸を引くという直線的で大きな動作となり、従来のハンドルの回転のようなこまめな動作が要求されず、より高速の巻き取りが可能となる。
【符号の説明】
【００２７】
１０  釣用リール
１２  リール本体
１４  スプール
１４ａ  糸巻き部
１６  第一ドラグ部
１７  第二ドラグ部
１８  巻き取り機構部
２４  釣糸
２６，２７，４２，４３  ドラグパッド
３０  主回転軸
３１  固定軸
３３  回転調整軸
３６，４０  ワンウェイクラッチ
４４  動伝部材
４５  巻き取り環
４６  ゼンマイバネ
４７  巻き取り紐
４８  保持部材
【図１】
2010207138.tif 000003
【図２】
2010207138.tif 000004